(57)【要約】【課題】軽量で、簡易な構成であり、製作費用が安価であり、密閉容器の中に調理空間としての密閉容器を収納することにより内部に収納された容器内の圧力を高圧にして短時間で調理しうる高圧釜を提供すること。【解決手段】第一の容器と、上記第一の容器を収納しうる第二の容器とを有する高圧釜であって、上記第一の容器は、第一の容器本体と、上記第一の容器本体の開口部を閉止しうると共に上記第一の容器内が所定の圧力になった場合に一時的に開口して容器内の圧力を低下させうる圧力調整蓋とを有し、上記第二の容器は、上記第一の容器を挿入しうる開口部を有する下部容器と、上記下部容器を閉止しうる上部容器と、上記上部容器と上記下部容器との閉止状態を固定しうる固定手段を有し、上記第二の容器内が所定の圧力になった場合に一時的に開口して容器内の圧力を低下させうること。【選択図】  図４
0003138519.tif 000002
【実用新案登録請求の範囲】
【請求項１】
第一の容器と、上記第一の容器を収納しうる第二の容器とを有する高圧釜であって、上記第一の容器は、第一の容器本体と、上記第一の容器本体の開口部を閉止しうると共に上記第一の容器内が所定の圧力になった場合に一時的に開口して容器内の圧力を低下させうる圧力調整蓋とを有し、
上記第二の容器は、上記第一の容器を挿入しうる開口部を有する下部容器と、上記下部容器を閉止しうる上部容器と、上記上部容器と上記下部容器との閉止状態を固定しうる固定手段を有し、上記第二の容器内が所定の圧力になった場合に一時的に開口して容器内の圧力を低下させうることを特徴とする高圧釜。
【請求項２】
上記第一の容器本体は、筒状に形成され、上記圧力調整蓋は、アルミ箔であることを特徴とする請求項１記載の高圧釜。
【請求項３】
上記第一の容器本体は、筒状に形成され、上端部には、上記圧力調整蓋を係止しうる係止部を有し、上記圧力調整蓋は、板状に形成されると共に把持部を有し、周縁部が上記係止部に当接することにより、上記第一の容器本体を閉止しうると共に上記第一の容器内が所定の圧力になった場合に一時的に開口して容器内の圧力を低下させうることを特徴とする請求項１記載の高圧釜。
【請求項４】
上記第二の容器は、筒状に形成され、上記固定手段は、上記上部容器の開口縁に設けられると共に径方向に沿って対向するように設けられた一対の上部取付部と、上記上部取付部から回動可能に取り付けられると共に一方の上部取付部と他方の上部取付部との間に設けられた略コ字状の第一の固定アームと、上記下部容器の開口縁に設けられると共に径方向に沿って対向するように設けられた一対の下部取付部と、上記下部取付部から回動可能に取り付けられると共に一方の下部取付部と他方の下部取付部との間に設けられた略コ字状の第二の固定アームとを有し、上記第二の固定アームは、上記第一の固定アームが上記第二の容器の上方の径方向に沿って配置された場合に、上記第一の固定アームの略中央部に圧接することにより上記上部容器を上記下部容器に対して固定しうることを特徴とする請求項１〜３のいずれか１項に記載の高圧釜。
【請求項５】
上記第二の容器の上記上部容器及び上記下部容器は、夫々単独で鍋として使用しうることを特徴とする請求項１〜４のいずれか１項に記載の高圧釜。
【考案の詳細な説明】
【技術分野】
【０００１】
本考案は、高圧釜に係り、例えば、災害時等の緊急時に使用しうる災害時用の高圧釜に関する。
【背景技術】
【０００２】
一般に、例えば、圧力鍋を使用して調理する場合、大気圧以上の圧力を加えて、密閉空間に封入した液体の沸点を高めることにより、食材に通常より高い温度を加えることができるので、比較的短時間で美味しく調理できることが知られている。
このような圧力鍋においては、電気製の圧力釜や高性能の圧力鍋が種々開発されている。
しかしながら、これらの圧力鍋は、重量が嵩張ると共に高価であることが多い。
また、災害時等の緊急時においては、一般家庭への電力やガスの供給が遮断されることも想定され、焚き火や簡易燃料による加熱手段により簡易に使用できる圧力釜を求める要請がある。
一方、飯盒を使用した飯盒炊さんにおいては、飯盒は、安価で簡易な構成であり、焚き火等を利用して調理することができるが、高圧状態を作り難いため、調理時間を要し易い。
従って、軽量であると共に簡易な構成で、安価であり、災害時にも使用できる高圧釜を求める要請がある。
【考案の開示】
【考案が解決しようとする課題】
【０００３】
本考案はこのような課題を解決するためになされたものであって、軽量で、簡易な構成であり、製作費用が安価であり、密閉容器の中に調理空間としての密閉容器を収納することにより内部に収納された容器内の圧力を高圧にして短時間で調理しうる高圧釜を提供することにある。
【課題を解決するための手段】
【０００４】
上記課題を解決するために、請求項１記載の考案にあっては、第一の容器と、上記第一の容器を収納しうる第二の容器とを有する高圧釜であって、上記第一の容器は、第一の容器本体と、上記第一の容器本体の開口部を閉止しうると共に上記第一の容器内が所定の圧力になった場合に一時的に開口して容器内の圧力を低下させうる圧力調整蓋とを有し、上記第二の容器は、上記第一の容器を挿入しうる開口部を有する下部容器と、上記下部容器を閉止しうる上部容器と、上記上部容器と上記下部容器との閉止状態を固定しうる固定手段を有し、上記第二の容器内が所定の圧力になった場合に一時的に開口して容器内の圧力を低下させうることを特徴とする。
従って、第一の容器と、上記第一の容器を収納しうる第二の容器とを有する構成であるので、簡易な構成であり、上記第二の容器内に上記第一の容器を収納できる。
また、上記第一の容器は、第一の容器本体と、上記第一の容器本体の開口部を閉止しうると共に上記第一の容器内が所定の圧力になった場合に一時的に開口して容器内の圧力を低下させうる圧力調整蓋とを有し、上記第二の容器は、上記第一の容器を挿入しうる開口部を有する下部容器と、上記下部容器を閉止しうる上部容器と、上記上部容器と上記下部容器との閉止状態を固定しうる固定手段を有し、上記第二の容器内が所定の圧力になった場合に一時的に開口して容器内の圧力を低下させうるので、上記圧力調整蓋が一時的に開口することにより、上記第一の容器内の圧力を略一定に調整でき、上記第二の容器が一時的に開口することにより、上記第二の容器内の圧力を略一定に調整できる。
【０００５】
請求項２記載の考案にあっては、上記第一の容器本体は、筒状に形成され、上記圧力調整蓋は、アルミ箔であることを特徴とする。
従って、上記圧力調整蓋は、アルミ箔であるので簡易な構成であり、圧力調整蓋としてのアルミ箔が一時的に開口することにより、上記第一の容器内の圧力を一定に調整できる。
【０００６】
請求項３記載の考案にあっては、上記第一の容器本体は、筒状に形成され、上端部には、上記圧力調整蓋を係止しうる係止部を有し、上記圧力調整蓋は、板状に形成されると共に把持部を有し、周縁部が上記係止部に当接することにより、上記第一の容器本体を閉止しうると共に上記第一の容器内が所定の圧力になった場合に一時的に開口して容器内の圧力を低下させうることを特徴とする。
従って、上記圧力調整蓋は、板状に形成されているので簡易な構成であり、上記圧力調整蓋が一時的に開口することにより、上記第一の容器内の圧力を一定に調整できる。
【０００７】
請求項４記載の考案にあっては、上記第二の容器は、筒状に形成され、上記固定手段は、上記上部容器の開口縁に設けられると共に径方向に沿って対向するように設けられた一対の上部取付部と、上記上部取付部から回動可能に取り付けられると共に一方の上部取付部と他方の上部取付部との間に設けられた略コ字状の第一の固定アームと、上記下部容器の開口縁に設けられると共に径方向に沿って対向するように設けられた一対の下部取付部と、上記下部取付部から回動可能に取り付けられると共に一方の下部取付部と他方の下部取付部との間に設けられた略コ字状の第二の固定アームとを有し、上記第二の固定アームは、上記第一の固定アームが上記第二の容器の上方の径方向に沿って配置された場合に、上記第一の固定アームの略中央部に圧接することにより上記上部容器を上記下部容器に対して固定しうることを特徴とする。
従って、上記第一の固定アームと上記第二の固定アームにより、上記第二の容器の上記上部容器と上記下部容器の閉止状態を容易に固定できる。
【０００８】
請求項５記載の考案にあっては、上記第二の容器の上記上部容器及び上記下部容器は、夫々単独で鍋として使用しうることを特徴とする。
【考案の効果】
【０００９】
請求項１〜３記載の考案にあっては、構成が簡易であるので、軽量で持ち運び易く、製作費用が安価である高圧釜を提供することができる。
また、閉止された第二の容器内に閉止された第一の容器を収納しうるので、上記第一の容器内の圧力を高圧にして水の沸点を高めることにより、高温で短時間に調理しうる高圧釜を提供することができる。
また、上記圧力調整蓋が一時的に開口することにより、上記第一の容器内の圧力を一定に調整でき、上記第二の容器が一時的に開口することにより、上記第二の容器内の圧力を一定に調整できるので、上記第一の容器内の高圧力状態を略一定に保持できる。
【００１０】
請求項４記載の考案にあっては、上記第一の固定アームと上記第二の固定アームにより、上記第二の容器の上記上部容器と上記下部容器の閉止状態を固定できるので、上記第二の容器を容易に密閉することができる。
【００１１】
請求項５記載の考案にあっては、上記第二の容器の上記上部容器及び上記下部容器は、夫々単独で鍋として使用しうるので、災害時等において鍋を確保できない場合であっても、調理用の鍋として使用することができる。
【考案を実施するための最良の形態】
【００１２】
以下、図面を用いて本考案の実施の形態について説明する。
図１に示すように、本実施の形態に係る高圧釜１０は、第一の容器１１と、上記第一の容器１１を収納しうる第二の容器１２とを有する高圧釜１０であって、図２（ａ）又は（ｂ）に示すように、上記第一の容器１１は、第一の容器本体１３と、上記第一の容器本体の開口部１５を閉止しうると共に上記第一の容器１１内が所定の圧力になった場合に一時的に開口して容器１１内の圧力を低下させうる圧力調整蓋１４とを有し、図３に示すように、上記第二の容器１２は、上記第一の容器１１を挿入しうる開口部１６を有する下部容器１７と、上記下部容器１７を閉止しうる上部容器１８と、上記上部容器１７と上記下部容器１８との閉止状態を固定しうる固定手段１９を有し、上記第二の容器内１２が所定の圧力になった場合に一時的に開口して容器１２内の圧力を低下させうるように構成されている。
また、図２（ａ）に示すように、上記第一の容器本体１３は、筒状に形成され、上記圧力調整蓋１４は、アルミ箔で構成されている。
また、図２（ｂ）に示すように上記第一の容器本体１３は、筒状に形成され、上端部には、上記圧力調整蓋１４を係止しうる係止部２０を有し、上記圧力調整蓋１４は、板状に形成されると共に把持部２１を有し、周縁部２２が上記係止部２０に当接することにより、上記第一の容器本体１３を閉止しうると共に上記第一の容器１１内が所定の圧力になった場合に一時的に開口して容器１１内の圧力を低下させうるように構成されている。
また、図３に示すように、上記第二の容器１２は、筒状に形成され、上記固定手段１９は、上記上部容器１８の開口縁に設けられると共に径方向に沿って対向するように設けられた一対の上部取付部２２，２３と、上記上部取付部２２，２３から回動可能に取り付けられると共に一方の上部取付部２２と他方の上部取付部２３との間に設けられた略コ字状の第一の固定アーム２４と、上記下部容器１７の開口縁に設けられると共に径方向に沿って対向するように設けられた一対の下部取付部２５，２６と、上記下部取付部２５，２６から回動可能に取り付けられると共に一方の下部取付部２５と他方の下部取付部２６との間に設けられた略コ字状の第二の固定アーム２７とを有し、図４に示すように、上記第二の固定アーム２７は、上記第一の固定アーム２４が上記第二の容器１２の上方の径方向に沿って配置された場合に、上記第一の固定アーム２４の略中央部に圧接することにより上記上部容器１８を上記下部容器１７に対して固定しうるように構成されている。
また、図３に示すように、上記第二の容器１２の上記上部容器１８及び上記下部容器１７は、夫々単独で鍋として使用しうるように構成されている。
【実施例】
【００１３】
以下に、図面を用いて本実施例について詳細を説明する。
本実施例は、災害時において、炊飯する場合の一例である。
図１に示すように、本実施例に係る高圧釜１０は、円筒状に形成された第一の容器１１と、上記第一の容器１１を収納しうる円筒状に形成された第二の容器１２とにより構成されている。
【００１４】
また、図２（ａ）に示すように、上記第一の容器１１は、円状の底面部２８と上記底面部２８の外周縁に設けられた円筒状の外周壁部２９とにより形成された第一の容器本体１３と、上記第一の容器本体の開口部１５を閉止しうると共に上記第一の容器１１内が所定の圧力になった場合に一時的に開口して容器１１内の圧力を低下させうるアルミ箔からなる圧力調整蓋１４とにより構成されている。
また、本実施例においては、第一の容器１１は、災害時の物資不足を考慮して、５００ｍｌのアルミ製空缶を使用したものであり、上記圧力調整蓋１４は、アルミ箔を使用して上記第一の容器本体１１の開口部１５を閉止しうる大きさに適宜裁断したものである。
【００１５】
また、図２（ｂ）に示すように上記第一の容器本体１１は、円状の底面部２８と、上記底面部２８の外周縁に設けられた円筒状の外周壁部２９とに形成された第一の容器本体１３と、上記圧力調整蓋１４を係止しうる係止部２０が上記第一の本体１１の上端部の内周壁面に沿って設けられ、上記圧力調整蓋１４は、円板状に形成されると共に上部略中央部に取り扱い容易のための把持部２１を有し、上記圧力調整蓋１４の周縁部２２が上記係止部２０に当接することにより、上記第一の容器本体１１を閉止しうると共に上記第一の容器１１内が所定の圧力になった場合に一時的に開口して容器１１内の圧力を低下させうるように構成することもできる。
【００１６】
また、図３に示すように、上記第二の容器１２は、鉄、ステンレス又は、アルミ合金で形成され、円状の底面部３０と上記底面部３０の外周縁に設けられた外周壁部３１とにより形成された下部容器１７と、上面部３２と上記上面部３２の外周縁に設けられた外周壁部３３とにより形成された上記下部容器１７を閉止しうる上部容器１８と、上記上部容器１８と上記下部容器１７との閉止状態を固定しうる固定手段１９により構成されている。
また、図３に示すように、上記下部容器１７の上記外周壁部３１の上端部には、上記上部容器１８の外周壁部３３の下端部３４を係止しうる係止部３５が設けられると共に、上記上部容器１８と上記下部容器１７とが閉止する場合に係合しうる一対の係合凹部３６，３６が上記下部容器１７の径方向に沿って形成され、上記上部容器１８の上記外周壁部３３の下端部３４には、上記係合凹部３６，３６と係合しうる一対の係合凸部３７，３７が上記上部容器１８の径方向に沿って形成されている。
【００１７】
また、図３に示すように、上記固定手段１９は、上記上部容器１８の開口縁に設けられると共に径方向に沿って対向するように設けられた一対の上部取付部２２，２３と、上記上部取付部２２，２３から回動可能に取り付けられると共に一方の上部取付部２２と他方の上部取付部２３との間に設けられた略コ字状の第一の固定アーム２４と、上記下部容器１７の開口縁に設けられると共に径方向に沿って対向するように設けられた一対の下部取付部２５，２６と、上記下部取付部２５，２６から回動可能に取り付けられると共に一方の下部取付部２５と他方の下部取付部２６との間に設けられた略コ字状の第二の固定アーム２７とにより構成されている。
また、図４に示すように、上記第二の固定アーム２７が上記第一の固定アーム２４とが直交して圧接固定しうるように、上記一対の取付固定部２２，２３は、図３に示すように、上記一対の取付固定部２２，２３の夫々を結ぶことにより形成されるラインと上記第二の容器１２の上記上部容器１８の一対の係合凸部３７，３７の夫々を結ぶことにより形成されるラインとが直交するように設けられ、また、上記一対の下部取付部２５，２６は、上記一対の下部取付部２５，２６の夫々を結ぶことにより形成されるラインと上記第二の容器１２の上記下部容器１７の一対の係合凹部３６，３６の夫々を結ぶことにより形成されるラインとが同一径方向に沿うように設けられている。
【００１８】
また、図３に示すように、上記第一の固定アーム２４は、棒状に形成され、一端部が上記上部取付部２２，２３に接続され、略同一の長さからなると共に上記上部容器１８の高さ方向長さより長い一対の第一の支持棒部３８，３８と、上記一対の第一の支持棒部３８，３８の他端部に両端が接続された第一の固定部３９とを有し、上記第一の固定部３９と上記第一の支持棒部３８，３８の接続部分は、略Ｌ字状の第一の角部４２ａ，４２ｂにより形成され、上記第一の固定部３９の略中央には、第一の中央係止部４３が形成されている。
また、図３に示すように、上記第二の固定アーム２７は、棒状に形成され、一端部が上記下部取付部２５，２６に接続され、略同一の長さからなると共に上記上部容器１８の高さ方向長さより長い一対の第二の支持棒部４０，４０と、上記一対の第二の支持棒部４０，４０の他端部に両端が接続された第二の固定部４１とを有し、上記第二の固定部４１と上記第二の支持棒部４０，４０の接続部分は、略Ｌ字状の第二の角部４４ａ，４４ｂにより形成され、上記第二の固定部４１の略中央には、第二の中央係止部４５が形成されている。
【００１９】
また、図４に示すように、上記第二の固定アーム２７は、上記第一の固定アーム２４が上記第二の容器１２の上方の径方向に沿って配置された場合に、上記第一の固定アーム２４と直交するように配置されると共に上記第一の固定アーム２４の略中央部に形成される第一の中央係止部４３の上端部を上記第二の固定アーム２７の略中央部に形成される第二の中央係止部４５が圧接することにより上記上部容器１８を上記下部容器１７に対して固定しうるように構成されている。
また、図４に示すように、上記第二の固定アーム２７が上記第一の固定アーム２４を圧接して固定された場合には、上記第一の固定アーム２４の第一の固定部３９は上記第一の固定部３９の付勢力に抗して下方へ付勢され、上記第二の固定アーム２７の第二の固定部４１は上記第二の固定部材４１の付勢力に抗して上方へ付勢されるように構成されている。
【００２０】
また、図３に示すように、上記第二の容器１２の上記上部容器１８は、上面部３２と外周壁部３３とを有し、第一の固定アーム２４を把持部として使用しうるように構成され、上記下部容器１７は、底面部３０と外周壁部３１とを有し、上記第二の固定アーム２７を把持部として使用しうるように構成されており、上記上部容器１８及び上記下部容器１７は、夫々単独で鍋として使用できる。
【００２１】
以下に本実施例の作用について、災害時において炊飯する場合について説明する。
本炊飯方法において使用する、米及び水の量、及び炊飯時間は、出願人が実験の結果得た最良値である。
まず、図２（ａ）に示すように、第一の容器本体としての５００ｍｌアルミ製空缶１３の中に開口部１５を介して１合の米４６及び２００ｃｃの水４７を入れる。
そして、適宜裁断された圧力調整蓋としてのアルミ箔１４を被せ、図１に示すように、上記開口部１５に沿って上記開口部１５を閉止するように上記アルミ箔の外周縁を折り曲げ、上記開口部１５に密着させる。
次に、図１に示すように、上記開口部１５が閉止された上記第一の容器１１を第二の容器１２の下部容器１７の底面部３０上に載置し、上記下部容器１７内に２５０ｃｃの水４８を入れる。
そして、図１に示すように、上部容器１８の下端部３７が下部容器１７の係止部３５に係止され、上記上部容器１８の係合凸部３７，３７が下部容器１７の係合凹部３６，３６に係合されるように配置して、図５（ａ）に示すように、第二の容器１２の上部容器１８を下部容器１７に被せる。
【００２２】
次に、図５（ａ）に示すように、第一の固定アーム２４の一対の上部取付部２２，２３を中心軸として上方へ回動させると共に、第二の固定アーム部２７の一対の下部取付部２５，２６を中心軸として上方へ回動させ、図５（ｂ）に示すように、第二の固定アーム部２７の一方の第二の角部４４ａの内方に第一の固定アーム部２４の一方の第一の角部４２ａが挿入されるように上方へ夫々回動させる。
そして、図５（ｃ）に示すように、上記第二の固定アーム２７を第一の固定アーム２４の第一の固定部３９の上縁に沿って回動させ、上記第二の固定アーム２７は上記上部容器１８の径方向に沿って配置すると共に上記第二の角部４４ａの内縁に上記第一の固定アーム２４の第一の中央係止部４３を配置する。
次に、図５（ｃ）に示すように、上記第一の固定アーム２４を一対の上部取付部２２，２３を中心軸として回動させると共に上記第二の固定アーム２７の上記第二の固定部４１の下縁部に沿ってスライドさせることにより、図４に示すように、第二の中央係止部４５が第一の中央係止部４３を圧接すると共に上記第一の固定アーム２４と第二の固定アーム２７とが直交して圧接固定される。
この場合、第一の固定アーム２４の第一の固定部３９は、上記第一の固定部３９の上方への付勢力に抗して下方に付勢されると共に、第二の固定アーム２７の第二の固定部４１は、上記第二の固定部４１の下方への付勢力に抗して上方に付勢されることにより、上記第二の容器１２の上部容器１８と下部容器１７とは固定部材１９により圧接固定され、上記第二の容器１２の密閉状態が確保される。
【００２３】
また、上記第一の固定アーム２４と上記第二の固定アーム２７により、第一の固定部３９の第一の中央係止部４３と第二の固定部４１の第二の中央係止部４５により互いに圧接された十字状の把持部４９が形成される。
上記把持部は、持ち運び時に高圧釜１０の取り扱いが容易となると共に、吊り下げ手段に吊り下げて上記高圧釜１０を火に掛けることもできる。
【００２４】
次に、上記第二の容器１２の内部に上記第一の容器１１が収納された状態の高圧釜１０を火に掛け炊飯する。
この場合、加熱手段は、災害時を考慮して、焚き火とする。
次に、吊り下げ手段に上記高圧釜１０をセットして、上記高圧釜１０の下方から焚き火により加熱する。
そして、焚き火による加熱により、約１５分間で、ご飯が炊き上がる。
この場合、本考案に係る上記高圧釜１０を用いた炊飯においては、飯盒を用いた飯盒炊さんよりも短時間で、ご飯を炊き上げることができる。
【００２５】
以下に、短時間で炊飯できる理由について説明する。
本考案に係る高圧釜１０は、第一の容器１１内の圧力を高圧にすることで上記第一の容器１１内に封入した液体である水の沸点を高め、その結果、第一の容器１１に入れた米に通常より高い温度を加えることができるので、短時間での炊飯が可能となる。
ここで、第一の容器１１内が高圧になる原理について説明する。
図２（ａ）に示すように、米４６及び水４７が封入された上記第一の容器１１と、図１に示すような水４８とが封入された図４に示すような第二の容器１２を下方から焚き火により加熱した場合には、加熱された高圧釜１０は、図１に示す水４８が沸騰されて蒸気が発生し、上記第二の容器１２が密閉空間であるため蒸気は第二の容器１２の外部に放出されることはなく、上記第二の容器１２内の圧力は外部の圧力より高圧になる。
一方、図４に示すような上記第二の容器１２内には、図２（ａ）に示すような米４６及び水４７が封入された上記第一の容器１１が封入されており、図２（ａ）に示す水４７が沸騰されて蒸気が発生し、上記第一の容器１１が密閉空間であるため蒸気は第一の容器１１内の外部に放出されることはなく、上記第一の容器１１内の圧力は上記第二の容器１２の圧力より高圧になる。
そして、密封された上記第二の容器１２内に密封された上記第一の容器１１が収納されているので、上記第二の容器１２内の圧力は外部の圧力より高圧になると共に上記第一の容器１１内の圧力は上記第二の容器１２の圧力より高圧になる。
従って、上記第一の容器１１内の圧力が高圧になることにより、上記第一の容器１１の水の沸点を上げることが可能となり、その結果、第一の容器１１に入れた米に通常より高い温度を加えることができるので、短時間での炊飯が可能となる。
【００２６】
また、炊飯時に、図４に示すような、第一の容器１１のアルミ箔からなる圧力調整蓋１４は、上記第一の容器１１内が所定の圧力になった場合に、上記第一の容器１１内の蒸気が上記圧力調整蓋１４を一時的に押し上げることにより蒸気を上記第一の容器１１の外部に逃がして上記第一の容器１１内の圧力を低下させ、上記第一の容器１１内の圧力を一定に調整している。
また、同様に、図４に示すように、第二の容器１２の固定手段１９は、上記第一の容器１２内が所定の圧力になった場合に、上記第二の容器１２内の蒸気が上記第二の容器１２の上部容器１８を固定している第一の固定アーム２４と第二の固定アーム２７の付勢力に抗して一時的に押し上げられることにより上記下部容器１７と上記上部容器１８の間に一時的に開口する隙間４９を作り出し、蒸気を上記第二の容器１２の外部へ逃がして上記第二の容器１２内の圧力を低下させ、上記第二の容器１２内の圧力を一定に調整している。
従って、上記第一の容器１１内及び上記第二の容器１２内の圧力は高圧のまま一定に保たれているので、水の沸点も安定した高温状態が保持されるため、第一の容器１１内の米に通常より高い温度を安定して加えることができる。
また、上記第一の容器１１内及び上記第二の容器１２内の蒸気を逃がし圧力を低下させることは、圧力を一定以上に上げない効果をもたらすため、高圧釜１０の爆発事故の防止としての安全対策とすることができる。
【００２７】
また、災害時には物資が不足しがちであり、調理用の鍋を確保することが難しいことから、図３に示すように、上記上部容器１８及び上記下部容器１７は、夫々単独で鍋として使用でき、お粥等の調理やミルク等を温めることができる。
【００２８】
また、本実施の形態にあっては、災害時に使用する炊飯するための高圧釜１０を例に説明したが、上記実施の形態に限定されない。例えば、野外キャンプで炊飯する場合や、登山者が高い高度での低い気圧内で使用する場合にも適用することができる。
また、加熱手段は焚き火には限定されず、簡易コンロ、電気コンロ、家庭用ガスコンロ等が含まれる。
【産業上の利用可能性】
【００２９】
本考案は、高圧釜に係り、例えば災害時等に使用しうる高圧釜に適用することができる。
【図面の簡単な説明】
【００３０】
【図１】本考案に係る高圧釜の一実施の形態を示す斜視図である。
【図２】（ａ）及び（ｂ）は、本考案に係る高圧釜の第一の容器の一実施の形態を示す斜視図である。
【図３】本考案に係る高圧釜の第二の容器の一実施の形態を示す斜視図である。
【図４】本考案に係る高圧釜の一実施の形態を示す斜視図である。
【図５】（ａ）〜（ｃ）は、本考案に係る固定部材による固定過程を示す図である。
【符号の説明】
【００３１】
１０    高圧釜
１１    第一の容器
１２    第二の容器
１３    第一の容器本体
１４    圧力調整蓋
１５    第一の容器本体の開口部
１６    下部容器の開口部
１７    下部容器
１８    上部容器
１９    固定手段
２０    係止部
２１    把持部
２２    上部取付部
２３    上部取付部
２４    第一の固定アーム
２５    下部取付部
２６    下部取付部
２７    第二の固定アーム部
２８    第一の容器の底面部
２９    第一の容器の外周壁部
３０    下部容器の底面部  
３１    下部容器の外周壁部
３２    上部容器の上面部
３３    上部容器の外周壁部
３４    上部容器の外周壁部の下端部
３５    係止部
３６    係合凹部
３７    係合凸部
３８    第一の支持棒部
３９    第一の固定部
４０    第二の支持棒部
４１    第二の固定部
４２ａ  第一の角部
４２ｂ  第一の角部
４３    第一の中央係止部
４４ａ  第二の角部
４４ｂ  第二の角部
４５    第二の中央係止部
４６    米量
４７    第一の容器に入れる水量
４８    第一の容器に入れる水量
４９    十字状の把持部
５０    隙間
【図１】
0003138519.tif 000003
【図２】
0003138519.tif 000004
【図３】
0003138519.tif 000005
【図４】
0003138519.tif 000006
【図５】
0003138519.tif 000007